(57)【要約】【課題】ファッション雑誌等のモデルが試着室や部屋の一角で撮影されたような画像を得る。【解決手段】背面カーテンは、撮影空間において撮影を行っている利用者の背面側に位置する背面パネルの、撮影空間側に張り付けられ、側面カーテンは、背面パネルの左右両端それぞれに取り付けられている側面パネルの、撮影空間側に張り付けられる。背面カーテン、側面カーテン、および床面のそれぞれの間に、所定の間隙が設けられている。本発明は、例えば、写真シール作成装置に適用することができる。【選択図】図９
2015001735.tif 000002
【特許請求の範囲】
【請求項１】
撮影空間において利用者を被写体として撮影し、得られた撮影画像に対して利用者に編集入力を行わせ、前記撮影画像を所定のシール紙に印刷する写真シール作成装置であって、
前記撮影空間において撮影を行っている前記利用者の背面側に位置する背面パネルの、前記撮影空間側に張り付けられる背面カーテンと、
前記背面パネルの左右両端それぞれに取り付けられている側面パネルの、前記撮影空間側に張り付けられる側面カーテンと
を備え、
前記背面カーテン、前記側面カーテン、および床面のそれぞれの間のうちの少なくともいずれか１つに、所定の間隙が設けられている
写真シール作成装置。
【請求項２】
前記背面カーテン、前記側面カーテン、および床面のそれぞれの間の間隙は、前記背面カーテン、前記側面カーテン、および床面の色に応じた距離とされる
請求項１に記載の写真シール作成装置。
【請求項３】
前記背面カーテンおよび前記側面カーテンの底部と床面との間の間隙は、10mm乃至20mmとされる
請求項１に記載の写真シール作成装置。
【請求項４】
前記背面カーテンの左右の側辺と、前記側面カーテンの前記背面カーテン側の側辺との間の間隙は、10mm乃至20mmとされる
請求項１に記載の写真シール作成装置。
【請求項５】
前記背面カーテンおよび前記側面カーテンは、前記撮影空間側から見て、ねじが露出することなく、前記背面パネルおよび側面パネルに張り付けられる
請求項１乃至４のいずれかに記載の写真シール作成装置。
【発明の詳細な説明】
【技術分野】
【０００１】
本発明は、写真シール作成装置に関し、特に、ファッション雑誌等のモデルが試着室や部屋の一角で撮影されたような画像を得ることができるようにする写真シール作成装置に関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
特に近年では、クロマキー処理を用いることにより、予め用意された背景画像から利用者により選択されたものを、撮影画像の背景として合成させる編集が行われている。
【０００４】
例えば、撮影画像における人物の部分を１００％の透過率で透過させるとともに、人物の影の部分を所定の透過率で透過させるマスク画像を用いて、撮影画像から人物の部分と影の部分とを抽出し、背景画像に合成するようにした写真シール機がある（特許文献１参照）。
【０００５】
また、取り込み画像の背景領域として、撮影空間の背面、側面、および床面の３面を抜き出し、この３面のうちの２面が交わる交線を模した線分を含む背景画像を生成し、その交線と３面が交わる交点とに基づいて、背景領域が抜き出された取り込み画像に、生成した背景画像を合成するようにした写真シール機がある（特許文献２参照）。
【０００６】
しかしながら、クロマキー処理を行う写真シール機においては、利用者が着用している衣服の一部に、例えば緑色のクロマキー用のカーテンと同じ色が含まれている場合、クロマキー処理によって、その衣服の一部が、例えばピンク色などに変色したり、その部分に背景画像が合成されてしまい、利用者が所望しない仕上がりの画像が提供される恐れがあった。
【０００７】
一方、クロマキー処理を行わない写真シール機では、利用者は、所望の色やデザインの背景画像を撮影画像の背景に合成させることはできず、利用者が満足する仕上がりの画像を提供できない恐れがあった。
【０００８】
さらに、従来の写真シール機においては、写真シール作成ゲームの一連の流れの中で、利用者がクロマキー処理を行うか否かを選択することができなかったので、着用している衣服や気分によって利用者が所望する仕上がりの画像を提供することはできなかった。
【先行技術文献】
【特許文献】
【０００９】
【特許文献１】特開２０１２−２３５３１４号公報
【特許文献２】特許第５１２０５０８号公報
【発明の概要】
【発明が解決しようとする課題】
【００１０】
ところで、クロマキー処理を施さない撮影が行われる場合、得られる画像が、ファッション雑誌等のモデルが試着室や部屋の一角で撮影されたような画像となることが好適とされる。
【００１１】
具体的には、クロマキー処理を施さない撮影が行われる場合、撮影空間において撮影を行っている利用者の背景となる撮影空間の背面、側面、および床がそのまま撮影画像に写ることになるが、例えば、背面、側面、および床それぞれの色が同じような色である場合、得られる画像は、背面、側面、および床の境界がほとんど見えない画像となってしまうおそれがあった。
【００１２】
特に、ファッション雑誌等のモデルが試着室や部屋の一角で撮影されたような画像を得るには、背面、側面、および床の境界をはっきりと見えるようにする必要があった。
【００１３】
本発明は、このような状況に鑑みてなされたものであり、ファッション雑誌等のモデルが試着室や部屋の一角で撮影されたような画像を得ることができるようにするものである。
【課題を解決するための手段】
【００１４】
本発明の一側面の写真シール作成装置は、撮影空間において利用者を被写体として撮影し、得られた撮影画像に対して利用者に編集入力を行わせ、前記撮影画像を所定のシール紙に印刷する写真シール作成装置であって、前記撮影空間において撮影を行っている前記利用者の背面側に位置する背面パネルの、前記撮影空間側に張り付けられる背面カーテンと、前記背面パネルの左右両端それぞれに取り付けられている側面パネルの、前記撮影空間側に張り付けられる側面カーテンとを備え、前記背面カーテン、前記側面カーテン、および床面のそれぞれの間のうちの少なくともいずれか１つに、所定の間隙が設けられている。
【００１５】
前記背面カーテン、前記側面カーテン、および床面のそれぞれの間の間隙は、前記背面カーテン、前記側面カーテン、および床面の色に応じた距離とされるようにすることができる。
【００１６】
前記背面カーテンおよび前記側面カーテンは、前記撮影空間側から見て、ねじが露出することなく、前記背面パネルおよび側面パネルに張り付けられるようにすることができる。
【００１７】
本発明の一側面においては、背面カーテンが、撮影空間において撮影を行っている利用者の背面側に位置する背面パネルの、撮影空間側に張り付けられ、側面カーテンが、背面パネルの左右両端それぞれに取り付けられている側面パネルの、撮影空間側に張り付けられ、背面カーテン、側面カーテン、および床面のそれぞれの間に、所定の間隙が設けられる。
【発明の効果】
【００１８】
本発明によれば、ファッション雑誌等のモデルが試着室や部屋の一角で撮影されたような画像を得ることが可能となる。
【図面の簡単な説明】
【００１９】
【図１】本発明の一実施の形態に係る写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】背面カーテンの見え方について説明する図である。
【図７】背景部に背面カーテンを取り付ける取り付け部材の構成例を示す図である。
【図８】背面カーテンの取り付け手順について説明する図である。
【図９】背景部の構成例を示す斜視図である。
【図１０】背景部を側面からみた断面図である。
【図１１】背景部を上面からみた断面図である。
【図１２】編集ユニットの構成例を示す図である。
【図１３】編集ユニットの右側面の構成例を示す図である。
【図１４】編集ユニットの右側面の構成例を示す図である。
【図１５】写真シール作成装置の内部の構成例を示すブロック図である。
【図１６】制御部の機能構成例を示すブロック図である。
【図１７】撮影処理部の機能構成例を示すブロック図である。
【図１８】写真シール作成ゲーム処理の流れの例を説明するフローチャートである。
【図１９】撮影処理について説明するフローチャートである。
【図２０】アップ撮影について説明する図である。
【図２１】斜め撮影について説明する図である。
【図２２】全身撮影について説明する図である。
【図２３】編集処理について説明するフローチャートである。
【図２４】編集画面の例を示す図である。
【図２５】ケータイおまけ作成コース選択画面の例である。
【図２６】撮影処理部の他の機能構成例を示すブロック図である。
【図２７】撮影処理について説明するフローチャートである。
【発明を実施するための形態】
【００２０】
以下、本発明を適用した具体的な実施の形態について、図面を参照しながら詳細に説明する。
【００２１】
［写真シール作成装置の外観構成］
図１は、写真シール作成装置１の外観の構成例を示す斜視図である。
【００２２】
写真シール作成装置１は撮影画像や編集画像を提供するゲーム機である。画像の提供は、シール紙に印刷した形で行われることもあるし、サーバに送信した画像を利用者の携帯端末上で閲覧可能にする形で行われることもある。写真シール作成装置１はゲームセンタなどの店舗に設置される。利用者は１人であることもあるが、主に、２人や３人等の複数人である。ここでは、利用者が２人である場合について説明する。
【００２３】
写真シール作成装置１で遊ぶ利用者は、自身が被写体となって撮影を行い、撮影によって得られた撮影画像の中から選択した画像を、手書きの文字やスタンプ画像を合成して編集することにより、撮影画像を彩り豊かな画像にする。利用者は、撮影画像や編集済みの画像である編集画像が印刷されたシール紙を受け取って一連のゲームを終了させる。
【００２４】
図１に示すように、写真シール作成装置１は、基本的に、撮影ユニット１１と編集ユニット１２が接した状態で設置されることによって構成される。
【００２５】
撮影ユニット１１は、撮影部２１と背景部２２から構成される。撮影部２１と背景部２２は所定の距離だけ離れて設置され、撮影部２１と背景部２２の間に形成される空間が、撮影処理を行う撮影空間となる。
【００２６】
撮影部２１は、利用者を被写体とした撮影処理を行う装置である。撮影部２１は、撮影空間に入った利用者の正面に位置する。撮影空間に臨む撮影部２１の正面には、カメラや各種の操作に用いられるタッチパネルモニタなどが設けられる。撮影空間にいる利用者から見て右側の面を右側面、左側の面を左側面とすると、撮影部２１の右側面が側面パネル４１Ａにより構成され、左側面が側面パネル４１Ｂ（図３）により構成される。
【００２７】
背景部２２は、正面を向いて撮影を行っている利用者の背面側に位置する板状の部材である背面パネル５１、背面パネル５１の右端に取り付けられ、側面パネル４１Ａより横幅の狭い板状の部材である側面パネル５２Ａ、および、背面パネル５１の左端に取り付けられ、側面パネル４１Ｂより横幅の狭い板状の部材である側面パネル５２Ｂ（図３）から構成される。
【００２８】
撮影部２１の右側面を構成する側面パネル４１Ａと背景部２２の側面パネル５２Ａは、ほぼ同一平面に設けられる。側面パネル４１Ａと側面パネル５２Ａは、上部が板状の部材である連結部２３Ａによって連結され、下部が、床面に設けた例えば金属製の部材である連結部２３Ａ’によって連結される。撮影部２１の左側面を構成する側面パネル４１Ｂと背景部２２の側面パネル５２Ｂも同様に、ほぼ同一平面に設けられ、上部において連結部２３Ｂによって連結され、下部において、連結部２３Ｂ’（図１４）によって連結される。
【００２９】
撮影部２１の側面パネル４１Ａ、連結部２３Ａ、および背景部２２の側面パネル５２Ａに囲まれることによって形成される開口が撮影空間の出入り口となる。また、撮影部２１の側面パネル４１Ｂ、連結部２３Ｂ、および背景部２２の側面パネル５２Ｂに囲まれることによって形成される開口も撮影空間の出入り口となる。
【００３０】
背景部２２の上部には、背面パネル５１、側面パネル５２Ａ、および側面パネル５２Ｂに支持される形で背景カーテンユニット２５が設けられる。背景カーテンユニット２５には、撮影によって得られる撮影画像において利用者の背景に写る所定の色の背景カーテンが収納される。背景カーテンユニット２５は、撮影と連動して、適宜、撮影空間内に、例えば緑色のクロマキー用のカーテン（以下、クロマキー用カーテンという）を下ろす。背景カーテンユニット２５による背景カーテンの上げ下ろしは、例えば撮影コースに応じて行われる。
【００３１】
なお、クロマキー用のカーテンを予め撮影空間の背面となる背面パネル５１に張り付けるようにしてもよい。クロマキー用カーテンを背景として撮影が行われる場合には、合成用の背景画像を複数種類用意し、撮影処理や編集処理においてクロマキー処理を行うことで、利用者が所望する背景画像をカーテンの部分に合成することができるようにする。
【００３２】
撮影空間の上方には、撮影部２１の正面、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて光を照射するストロボを内蔵する。天井ストロボユニット２４の内部には、ストロボの他に蛍光灯が設けられており、撮影空間の照明としても機能する。
【００３３】
編集ユニット１２は、撮影画像の編集処理を行う装置である。編集ユニット１２は、一方の側面が撮影部２１の背面に接するように撮影ユニット１１に連結して設けられる。
【００３４】
図１に一部が見える編集ユニット１２の構成を正面側の構成とすると、２組の利用者が同時に編集を行うことができるように、編集ユニット１２の正面側と背面側には編集に用いられる構成がそれぞれ設けられる。
【００３５】
編集ユニット１２の正面側は、床面に対して垂直な面であり、撮影部２１の側面パネル４１Ａとほぼ平行な面である面７１と、面７１の上方に形成された斜面７２から構成される。斜面７２には、編集作業に用いられる構成が設けられる。斜面７２の右側には、照明装置７４の一端を支持する柱状の支持部７３Ａが設けられる。斜面７２の左側にも、照明装置７４の他端を支持する柱状の支持部７３Ｂ（図２）が設けられる。支持部７３Ａの右側には、編集ユニット１２の側面を構成する板状のパネル７３Ｃが設けられる。パネル７３Ｃの上面にはカーテンレール２６を支持する支持部７５が設けられる。
【００３６】
編集ユニット１２の上方にはカーテンレール２６が取り付けられる。カーテンレール２６は、３本のレール２６Ａ乃至２６Ｃを、上から見たときの形状がコの字状となるように組み合わせることによって構成される。平行に設けられるレール２６Ａと２６Ｂの一端は、連結部２３Ａと連結部２３Ｂにそれぞれ固定され、他端にレール２６Ｃの両端が接合される。
【００３７】
カーテンレール２６には、編集ユニット１２の正面前方の空間と背面前方の空間の内部が外から見えないようにカーテンが取り付けられる。カーテンレール２６に取り付けられたカーテンにより囲まれる編集ユニット１２の正面前方の空間と背面前方の空間が、利用者が撮影画像の編集を行う編集空間となる。
【００３８】
図２は、写真シール作成装置１の他の斜視図である。
【００３９】
後に詳述するが、編集ユニット１２の右側面には、タブレット内蔵モニタや印刷済みのシール紙が排出される排出口などが設けられる。編集ユニット１２の側面に設けられるタブレット内蔵モニタは、画像の印刷が終わるのを待っている利用者が事後接客機能を利用するときに用いられる。事後接客機能には、撮影画像や編集画像をサーバに送信する機能、ミニゲームの機能などが含まれる。編集ユニット１２の右側面前方の空間が、利用者が事後接客機能を利用する事後接客空間となる。
【００４０】
ここで、写真シール作成ゲームの流れと、それに伴う利用者の移動について説明する。図３は、写真シール作成装置１を上から見た平面図である。
【００４１】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影を行う。出入り口Ｇ１は側面パネル４１Ａと側面パネル５２Ａの間の開口であり、出入り口Ｇ２は側面パネル４１Ｂと側面パネル５２Ｂの間の開口である。
【００４２】
撮影を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４３】
編集空間Ａ２−１は、編集ユニット１２の正面側の編集空間であり、編集空間Ａ２−２は、編集ユニット１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方が移動先として案内される。編集空間Ａ２−１または編集空間Ａ２−２に移動した利用者は撮影画像の編集を開始する。編集空間Ａ２−１の利用者と、編集空間Ａ２−２の利用者は同時に編集を行うことができる。
【００４４】
編集が終了した後、撮影画像や編集画像の印刷が開始される。画像の印刷中、編集空間Ａ２−１での編集を終えた利用者は、白抜き矢印＃５で示すように編集空間Ａ２−１から事後接客空間Ａ３に移動して事後接客機能を利用する。また、編集空間Ａ２−２での編集を終えた利用者は、白抜き矢印＃６で示すように編集空間Ａ２−２から事後接客空間Ａ３に移動して事後接客機能を利用する。
【００４５】
画像の印刷が終了したとき、利用者は、編集ユニット１２の右側面に設けられた排出口からシール紙を受け取り、一連の写真シール作成ゲームを終えることになる。
【００４６】
次に、各装置の構成について説明する。
【００４７】
［撮影部の構成］
図４は、撮影部２１の正面の構成例を示す図である。撮影部２１は、側面パネル４１Ａ、側面パネル４１Ｂ、および正面パネル４２が、箱状の形状を有するベース部４３に取り付けられることによって構成される。
【００４８】
正面パネル４２の中央には、上底：下底の比を略１：５とし、下底の長さが正面パネル４２の横幅と同じ長さの等脚台形を上下逆様にした面を有する凸部８１が形成される。凸部８１のほぼ中央にはカメラユニット９１が設けられ、カメラユニット９１の下にタッチパネルモニタ９２が設けられる。カメラユニット９１は、カメラ１０１と正面ストロボ１０２から構成される。
【００４９】
カメラ１０１は、例えば一眼レフカメラであり、レンズが露出するようにカメラユニット９１の内部に取り付けられる。カメラ１０１はCCD(Charge Coupled Device)などの撮像素子を有し、撮影空間Ａ１にいる利用者を撮影する。カメラ１０１により取り込まれた動画像はタッチパネルモニタ９２にリアルタイムで表示される。利用者により撮影が指示されたときなどの所定のタイミングでカメラ１０１により取り込まれた静止画は撮影画像として保存される。
【００５０】
カメラ１０１の上に設けられた正面ストロボ１０２は、乳白アクリル板よりなる横長長方形の発光面を有する。正面ストロボ１０２は、カメラ１０１による撮影に合わせて発光することで、被写体としての利用者の顔付近を正面から照射する。
【００５１】
なお、正面ストロボ１０２の発光面として設けられる乳白アクリル板としては、透明度の高いものが用いられる。これにより、正面ストロボ１０２の発光による光の拡散度合いを、乳白アクリル板として透明度の低いものを用いた場合と比べて抑えることができ、利用者に対してより多くの光を照射することができる。
【００５２】
カメラユニット９１の下に設けられたタッチパネルモニタ９２は、LCD(Liquid Crystal Display)などのモニタと、それに積層されたタッチパネルにより構成される。タッチパネルモニタ９２は、カメラ１０１により取り込まれた動画像を表示するライブビューモニタとしての機能と、各種のGUI(Graphical User Interface)を表示し、利用者の選択操作を受け付ける機能を備えている。タッチパネルモニタ９２には、カメラ１０１により取り込まれた動画像（ライブビュー）や撮影画像が表示される。
【００５３】
カメラユニット９１の上方には、曲面の発光面を利用者に向けた上ストロボ１１１が設置される。上ストロボ１１１は、カメラ１０１による撮影に合わせて発光することで、上方から利用者を照射する。
【００５４】
ベース部４３の中央には利用者の下半身および足元を照射する足元ストロボ１１２が設けられ、足元ストロボ１１２の垂直面の右側には、利用者が硬貨を入れる硬貨投入返却口１１４が設けられる。
【００５５】
ベース部４３の上面には、足元ストロボ１１２の上面を挟んでスペース１１３Ａ，１１３Ｂが左右に形成される。スペース１１３Ａ，１１３Ｂは、撮影を行う利用者が手荷物等を置くための荷物置き場として用いられる。正面パネル４２の例えば天井付近には、撮影処理の案内音声、BGM(Back Ground Music)、効果音等の音を出力するスピーカも設けられる。
【００５６】
［背景部の構成］
図５は、背景部２２の撮影空間Ａ１側の構成例を示す図である。
【００５７】
上述したように、背面パネル５１の上方には背景カーテンユニット２５が設けられる。
【００５８】
背面パネル５１の、出入り口Ｇ１側（図中、左側）の上方には、撮影空間Ａ１内で撮影処理を行っている利用者を右後方から照射する背面右ストロボ１２１が取り付けられる。また、背面パネル５１の、出入り口Ｇ２側（図中、右側）の上方には、撮影空間Ａ１内で撮影処理を行っている利用者を左後方から照射する背面左ストロボ１２２が取り付けられる。
【００５９】
さらに、背面パネル５１の撮影空間Ａ１側（図中、手前側）の面には、背面カーテン１２３が張り付けられる。背面カーテン１２３の色は、ファッション雑誌等のモデルの撮影が行われるスタジオ等と同様に、白色系の色とされる。これにより、撮影によって得られる撮影画像において、被写体の背景に影がつきやすくなり、立体感が強調されるようになる。ここで、白色系の色には、白色はもちろん、白色に近い色（具体的には、白色に近いグレーや、白色に近い青みがかったグレーなどといった色）も含まれるものとする。
【００６０】
本発明の写真シール作成装置１による写真シール作成ゲームにおいては、後述するように、クロマキー処理を施すための撮影と、クロマキー処理を施さない撮影とが行われるので、背面カーテン１２３の色とクロマキー用カーテンの色とを異なる色にすることで、それぞれの目的にあった撮影を行うことができる。
【００６１】
なお、背面カーテン１２３の色は、白色系の色に限らず、人物の肌色の補色となる青色や緑色などの寒色系の色であってもよい。特に、背面カーテン１２３の色を緑色とした場合、クロマキー用カーテンを別途設ける必要がなくなる。
【００６２】
また、図示はしないが、側面パネル５２Ａ，５２Ｂそれぞれの撮影空間Ａ１側にも、背面カーテン１２３と同様の側面カーテンが張り付けられる。この側面カーテンの色は、背面カーテン１２３の色と同一とする。
【００６３】
背面右ストロボ１２１および背面左ストロボ１２２が発光することにより、撮影空間Ａ１においては、その上方ほど明るくなり、下方ほど暗くなる。これにより、背面カーテン１２３および図示せぬ側面カーテンは、例えば、図６に示されるように、その色が床面に近づくほど明度が低くなるように配色されたように（グラデーションが施されたように）見える。
【００６４】
上述したように、本発明の写真シール作成装置１による写真シール作成ゲームにおいては、クロマキー処理を施すための撮影と、クロマキー処理を施さない撮影とが行われる。そこで、クロマキー処理を施さない撮影が行われても、背面カーテン１２３および図示せぬ側面カーテンによって、背面パネル５１と側面パネル５２Ａ，５２Ｂとの接合部分の金具やねじが露出しないようにする。
【００６５】
この場合、背面カーテン１２３や側面カーテン自体も、背面パネル５１や側面パネル５２Ａ，５２Ｂに、金具やねじ等で固定されないで取り付ける必要がある。
【００６６】
［背面カーテンの取り付けについて］
図７は、背面カーテン１２３を背面パネル５１に取り付けるための取り付け部材の構成例を示す図である。
【００６７】
この取り付け部材は、コの字型部材１２４とＬ字型部材１２５とから構成される。
【００６８】
コの字型部材１２４は、その断面が略コの字型に成形されており、延在方向（長手方向）の長さは、背面パネル５１の横方向の長さと略等しい。コの字型部材１２４を構成する面のうち、開口側に対向する面の内側には、ねじ付管筒であるボス１２４ａが、延在方向に所定の間隔で設けられている。
【００６９】
Ｌ字型部材１２５は、その断面がＬ字型に成形されており、延在方向（長手方向）の長さは、コの字型部材１２４と等しい。Ｌ字型部材１２５を構成する面のうち、広い方の面の外側には、ボス１２５ａが、延在方向に所定の間隔で設けられている。また、その面には、ねじ孔１２５ｂおよび位置合わせ孔１２５ｃも、延在方向に所定の間隔で設けられている。
【００７０】
コの字型部材１２４のボス１２４ａと、Ｌ字型部材１２５のねじ孔１２５ｂとは、互いに対応する位置に設けられており、コの字型部材１２４とＬ字型部材１２５とは、その間に背面カーテン１２３を挟んで接合されて、背面パネル５１に取り付けられる。
【００７１】
ここで、図８を参照して、背面カーテン１２３の取り付け部材の、背面パネル５１への取り付けの手順について説明する。図８Ａ，Ｂ，Ｃには、背面カーテン１２３と、それを取り付けるためのコの字型部材１２４およびＬ字型部材１２５の断面が示されている。
【００７２】
まず、図８Ａに示されるように、コの字型部材１２４とＬ字型部材１２５との間に、背面カーテン１２３が、コの字型部材１２４のボス１２４ａおよびＬ字型部材１２５のねじ孔１２５ｂと、それらに対応する位置に設けられた孔１２３ａとが一致するように配置される。ここでは、背面カーテン１２３の床面側は、図中上方向となる。
【００７３】
次に、図８Ｂに示されるように、ねじ１２６が、ねじ孔１２５ｂを介してボス１２４ａに螺挿されることで、コの字型部材１２４とＬ字型部材１２５とが、背面カーテン１２３を挟んで接合される。なお、ここでは、ボス１２５ａの図示は省略する。
【００７４】
そして、図８Ｃに示されるように、背面パネル５１の上端部付近において、ボス１２５ａと対応する位置に設けられた孔と、ボス１２５ａとが嵌合し、背面パネル５１の外側からねじ１２７がボス１２５ａに螺挿されることで、背面カーテン１２３を挟んだ取り付け部材が、背面パネル５１に取り付けられる。このとき、背面カーテン１２３は、コの字型部材１２４を包み込むように、撮影空間Ａ１の床面側に向かって垂らされる。
【００７５】
このようにして、撮影空間Ａ１側から見た場合に、金具やねじ等が露出することなく、背面カーテン１２３を背面パネル５１に取り付けることができる。
【００７６】
また、背面カーテン１２３と同様にして、側面パネル５２Ａ，５２Ｂには側面カーテンが取り付けられる。
【００７７】
なお、クロマキー用カーテンは、背景カーテンユニット２５によって、背面カーテン１２３より撮影空間Ａ１側（図８Ｃ中、背面カーテン１２３より左側）に下ろされる。
【００７８】
また、本実施の形態においては、背面カーテン１２３を背面パネル５１に取り付けるようにしたが、背景カーテンユニット２５によって、クロマキー用カーテンとは別の、背面カーテン１２３と同色のカーテンが、背面パネル５１より撮影空間Ａ１側に下ろされるようにしてもよい。
【００７９】
なお、クロマキー処理を施さない撮影が行われる場合、後述するように、得られる画像が、ファッション雑誌等のモデルが試着室や部屋の一角で撮影されたような画像となることが好適とされる。そこで、本実施の形態においては、背面カーテン１２３と側面カーテンとの境界や、背面カーテン１２３と床面との境界がはっきり見えるようにする。
【００８０】
図９は、背景部２２の撮影空間Ａ１側の構成例を示す斜視図である。
【００８１】
なお、図９に示されるように、背景パネル５１の撮影空間Ａ１側には背景カーテン１２３が張り付けられ、側面パネル５２Ａ，５２Ｂそれぞれの撮影空間Ａ１側には、側面カーテン１２８Ａ，Ｂが張り付けられる。なお、図９においては、背景カーテンユニット２５、背面右ストロボ１２１、および背面左ストロボ１２２の図示は省略されている。
【００８２】
図１０は、図９において、矢印Ｒ１方向（背景部２２の側面）からみた背景部２２の断面図を示している。図１０Ａは、側面からみた背景部２２の断面全体を示しており、図１０Ｂは、図１０Ａにおいて、破線部Ｐ１で囲まれている部分の拡大図を示している。
【００８３】
図１０において、背面パネル５１は、図示せぬ車輪（キャスター）や支持部によって、底部と床面との間に所定の間隙をもって支持されている。また、背面カーテン１２３および側面カーテン１２８Ｂ（側面カーテン１２８Ａも同様）は、上述した取り付け部材によって、底部と床面との間に所定の間隙ｄ１（10mm≦ｄ１≦20mm）をもつように垂らされている。
【００８４】
図１１は、図９において、矢印Ｒ２方向（背景部２２の上面）からみた背景部２２の断面図を示している。図１１Ａは、上面からみた背景部２２の断面全体を示しており、図１１Ｂは、図１１Ａにおいて、破線部Ｐ２で囲まれている部分の拡大図を示している。
【００８５】
図１１において、背面カーテン１２３は、左右の側辺がそれぞれ側面パネル５２Ａ，５２Ｂに当接するように、背面パネル５１に取り付けられている。また、側面カーテン１２８Ａ（側面カーテン１２８Ｂも同様）は、背面カーテン１２３側の側辺と背面カーテン１２３とが所定の間隙ｄ２（10mm≦ｄ２≦20mm）をもつように、側面パネル５２Ａ（側面パネル５２Ｂ）に取り付けられている。
【００８６】
このような構造により、背面カーテン１２３と床面との間、側面カーテン１２８Ａ，１２８Ｂと床面との間、背面カーテン１２３と側面カーテン１２８Ａ，１２８Ｂとの間には、それぞれ所定の間隙が設けられる。
【００８７】
仮に、背面カーテン１２３、側面カーテン１２８Ａ，１２８Ｂ、および床面それぞれの間に間隙を設けない場合、またはその間隙が小さすぎる場合（ｄ１＜10mm，ｄ２＜10mm）、これらを背景として撮影して得られる画像は、背面、側面、および床の境界がほとんど見えない画像となってしまう。逆に、その間隙が大きすぎる場合（ｄ１＞20mm，ｄ２＞20mm）、背面、側面、および床の境界がぼやけてしまい、やはり境界がほとんど見えない画像となってしまう。
【００８８】
そこで、本実施の形態においては、背面カーテン１２３、側面カーテン１２８Ａ，１２８Ｂ、および床面それぞれの間に間隙を設けることで、得られる画像において、背面、側面、および床の境界をはっきりと見えるようにする。これにより、クロマキー処理を施さない撮影が行われる場合には、ファッション雑誌等のモデルが試着室や部屋の一角で撮影されたような画像が得られるようになる。
【００８９】
なお、背面カーテン１２３、側面カーテン１２８Ａ，１２８Ｂ、および床面それぞれの間に設けられる間隙は、背面カーテン１２３、側面カーテン１２８Ａ，１２８Ｂ、および床面の色によって調整されるようにしてもよい。
【００９０】
［編集部の構成］
図１２は、編集ユニット１２の正面側（編集空間Ａ２−１側）の構成例を示す図である。
【００９１】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００９２】
タブレット内蔵モニタ１３１は、タッチペン１３２Ａまたはタッチペン１３２Ｂを用いて操作入力が可能なタブレットがLCDなどのモニタに重畳して設けられることによって構成される。タブレット内蔵モニタ１３１には例えば編集画面が表示される。編集画面は撮影画像の編集に用いられる画面である。２人で同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００９３】
図１３、図１４は、編集ユニット１２の右側面の構成例を示す図である。
【００９４】
編集ユニット１２の右側面にはタブレット内蔵モニタ１６１が設けられる。タブレット内蔵モニタ１６１には、事後接客機能を利用するときに用いられる画面が表示される。
【００９５】
タブレット内蔵モニタ１６１の下にはシール紙排出口１６２が設けられる。編集ユニット１２の内部にはプリンタが設けられており、編集空間Ａ２−１の利用者が写る画像、または、編集空間Ａ２−２の利用者が写る画像が所定のレイアウトでシール紙に印刷され、シール紙排出口１６２から排出される。シール紙排出口１６２の下には、事後接客機能の案内音声、BGM、効果音等などを出力するスピーカ１６３が設けられる。
【００９６】
［写真シール作成装置の内部構成］
図１５は、写真シール作成装置１の内部の構成例を示すブロック図である。上述した構成と同じ構成には同じ符号を付してある。重複する説明については適宜省略する。
【００９７】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９Ａ、編集部２０９Ｂ、および事後接客部２１０の各構成も接続される。
【００９８】
記憶部２０２は、ハードディスクやフラッシュメモリなどの不揮発性の記憶媒体からなり、制御部２０１から供給された各種の設定情報等を記憶する。記憶部２０２に記憶されている情報は制御部２０１により適宜読み出される。
【００９９】
通信部２０３は、インターネットなどのネットワークのインタフェースであり、制御部２０１による制御に従って外部の装置と通信を行う。通信部２０３は、例えば撮影画像や編集画像をサーバに送信する。通信部２０３から送信された画像は、サーバにおいて所定のURLの記憶領域が割り当てられて保存され、アクセスしてきた携帯端末のディスプレイに表示される。
【０１００】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【０１０１】
ROM２０６には、制御部２０１において実行されるプログラムやデータが記憶されている。RAM２０７は、制御部２０１が処理するデータやプログラムを一時的に記憶する。
【０１０２】
撮影部２０８は、撮影空間Ａ１にいる利用者を対象とした撮影処理を行う。撮影部２０８は、硬貨処理部２２１、背景制御部２２２、照明装置２２３、カメラ１０１、タッチパネルモニタ９２、およびスピーカ２２４から構成される。
【０１０３】
硬貨処理部２２１は、硬貨投入返却口１１４に対する硬貨の投入を検出する。硬貨処理部２２１は、例えば４００円などの所定の金額分の硬貨が投入されたことを検出した場合、そのことを表す起動信号を制御部２０１に出力する。
【０１０４】
背景制御部２２２は、制御部２０１から供給される背景制御信号に従って背景カーテンユニット２５による背景カーテン（クロマキー用カーテン）の上げ下ろしを制御する。
【０１０５】
照明装置２２３は、撮影空間Ａ１内の各ストロボであり、制御部２０１から供給される照明制御信号に従って発光する。撮影空間Ａ１には、天井ストロボユニット２４のストロボの他に、撮影部２１の正面ストロボ１０２、上ストロボ１１１、足元ストロボ１１２、背景部２２の背面右ストロボ１２１、背面左ストロボ１２２が設けられる。
【０１０６】
カメラ１０１は、制御部２０１による制御に従って撮影を行い、撮影によって得られた画像を制御部２０１に出力する。
【０１０７】
編集部２０９Ａは、編集空間Ａ２−１にいる利用者を対象とした編集処理を行う。編集部２０９Ａは、タブレット内蔵モニタ１３１、タッチペン１３２Ａ，１３２Ｂ、およびスピーカ２３１から構成される。編集部２０９Ｂは、編集部２０９Ａと同一の構成を有しており、編集空間Ａ２−２にいる利用者を対象とした編集処理を行う。
【０１０８】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【０１０９】
事後接客部２１０は、事後接客空間Ａ３にいる利用者を対象とした事後接客処理を行う。事後接客処理は、事後接客機能を利用者に提供する処理である。事後接客部２１０は、タブレット内蔵モニタ１６１、スピーカ１６３、およびプリンタ２４１から構成される。プリンタ２４１にはシール紙ユニット２４２が装着される。
【０１１０】
プリンタ２４１は、制御部２０１から供給された印刷データに基づいて、撮影画像や編集画像をシール紙ユニット２４２に収納されているシール紙に印刷し、シール紙排出口１６２に排出する。
【０１１１】
［制御部の構成］
図１６は、制御部２０１の機能構成例を示すブロック図である。図１６に示す機能部のうちの少なくとも一部は、制御部２０１内のCPUにより所定のプログラムが実行されることによって実現される。
【０１１２】
制御部２０１においては、撮影処理部３０１、編集処理部３０２、印刷処理部３０３、および事後接客処理部３０４が実現される。
【０１１３】
撮影処理部３０１は、撮影部２０８の各部を制御し、写真シール作成装置１を利用する際に投入される代金に関する処理や撮影処理を行う。編集処理部３０２は、編集部２０９Ａ、編集部２０９Ｂの各部を制御し、編集処理を行う。印刷処理部３０３は、事後接客部２１０のプリンタ２４１を制御し、印刷処理を行う。事後接客処理部３０４は、事後接客部２１０のタブレット内蔵モニタ１６１を制御するなどして事後接客処理を行う。
【０１１４】
［撮影処理部の構成例］
図１７は、撮影処理部３０１の機能構成例を示すブロック図である。
【０１１５】
撮影処理部３０１は、入力受付部３１１、設定部３１２、撮影制御部３１３、照明制御部３１４、および画像処理部３１５から構成される。
【０１１６】
入力受付部３１１は、タッチパネルモニタ９２に表示される各種のGUIに対して利用者により行われる操作入力を受け付ける。具体的には、入力受付部３１１は、利用者により行われる操作入力として、撮影に関する条件である撮影条件の入力を受け付ける。撮影条件は、タッチパネルモニタ９２に表示されるGUIにおいて、利用者によって直接選択されるものであってもよいし、利用者が選択した内容に応じて間接的に選択されるものであってもよい。
【０１１７】
設定部３１２は、入力された撮影条件に応じて、撮影制御部３１３が、複数回行う撮影のうちの少なくとも１回の撮影として、撮影画像にクロマキー処理を施すための撮影を行うか否かを設定する。以下においては、撮影画像にクロマキー処理を施すための撮影を、クロマキー撮影という。本実施の形態の写真シール作成装置１においては、クロマキー撮影を行うことで、利用者がかわいくきれいに写り、クロマキー撮影を行わないことで、利用者がよりおしゃれに写るようになる。
【０１１８】
撮影制御部３１３は、設定部３１２によって設定された内容に応じて、カメラ１０１および背景制御部２２２を制御し、利用者を被写体として撮影することで、撮影画像を取得する。
【０１１９】
例えば、設定部３１２によって、複数回の撮影のうちの少なくとも１回の撮影として、クロマキー撮影を行うと設定された場合、撮影制御部３１３は、背景制御部２２２を制御することで、背景カーテンユニット２５にクロマキー用カーテンを下ろさせて、撮影（クロマキー撮影）を行う。
【０１２０】
また、設定部３１２によって、複数回の撮影のうちの少なくとも１回の撮影として、クロマキー撮影を行わないと設定された場合、撮影制御部３１３は、背景制御部２２２を制御することで、背景カーテンユニット２５にクロマキー用カーテンを下ろさせず上げた状態のままの、クロマキー処理を施すことを前提としない撮影（以下、通常撮影という）を行う。
【０１２１】
照明制御部３１４は、撮影制御部３１３によって行われる撮影に応じて、撮影空間Ａ１内の各ストロボ（照明装置２２３）の発光を制御する。
【０１２２】
画像処理部３１５は、撮影制御部３１３により取得された撮影画像に対して、所定の画像処理を施す。
【０１２３】
［写真シール作成装置の動作］
次に、写真シール作成装置１の動作について説明する。
【０１２４】
はじめに、図１８のフローチャートを参照して、写真シール作成ゲームを提供する写真シール作成装置１の処理について説明する。
【０１２５】
ステップＳ１において、写真シール作成装置１の撮影処理部３０１は、所定の金額分の硬貨が投入されたか否かを硬貨処理部２２１から供給される信号に基づいて判定し、投入されたと判定するまで待機する。
【０１２６】
硬貨が投入されたとステップＳ１において判定された場合、ステップＳ２において、撮影処理部３０１は撮影処理を行う。撮影処理においては、撮影空間Ａ１にいる利用者を被写体として撮影が行われる。撮影処理の詳細については、図１９のフローチャートを参照して後述する。
【０１２７】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、タッチパネルモニタ９２に画面を表示させることによって、または音声をスピーカ２２４から出力させることによって行われる。
【０１２８】
ステップＳ４において、編集処理部３０２は、編集空間Ａ２−１と編集空間Ａ２−２のうち、撮影処理を終えた利用者の移動先とした方の編集空間に対応する編集部２０９Ａまたは編集部２０９Ｂを制御して編集処理を行う。編集処理の詳細については、図２３のフローチャートを参照して後述する。
【０１２９】
ステップＳ５において、編集処理部３０２は、編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１３０】
ステップＳ６において、印刷処理部３０３は印刷処理を行う。印刷処理により、撮影画像や編集画像が、利用者により選択されたレイアウトに従ってシール紙に印刷される。
【０１３１】
ステップＳ７において、事後接客処理部３０４は、印刷が終わるのを待っている利用者に対する事後接客処理を行う。事後接客処理部３０４は、撮影画像や編集画像を携帯端末に送信する処理などを事後接客処理として行う。
【０１３２】
印刷が終了した場合、ステップＳ８において、事後接客処理部３０４は、画像が印刷されたシール紙をシール紙排出口１６２から排出させ、処理を終了する。
【０１３３】
［撮影処理の例］
次に、図１９のフローチャートを参照して、上述した写真シール作成ゲームの一連の処理におけるステップＳ２の撮影処理の流れを説明する。
【０１３４】
ステップＳ２１において、撮影処理部３０１は、コース選択画面をタッチパネルモニタ９２に表示させる。コース選択画面には、例えば、撮影コースとして、利用者をかわいくきれいに写すためのbeautyコースを選択する場合に操作されるボタンと、利用者をよりおしゃれに写すためのedgyコースを選択する場合に操作されるボタンが表示される。
【０１３５】
ここでは、撮影コースが選択されることによって、撮影処理で行われる撮影に関する撮影条件が入力（選択）される。具体的には、撮影条件として、撮影画像における被写体の写りが選択される。撮影画像における被写体の写りは、例えば、画像処理により撮影画像に対して設定される彩度、明度、シャープネス、コントラストや、撮影空間内の各ストロボによって利用者に照射される光によって決まる。
【０１３６】
つまり、beautyコースを選択した場合の撮影と、edgyコースを選択した場合の撮影とでは、撮影画像に施される画像処理の内容、撮影時に照射される光の向きや光量などが異なる。
【０１３７】
利用者が、タッチパネルモニタ９２の表面に指で触れるなどしていずれの撮影コースで撮影を行うのかを選択すると、ステップＳ２２において、撮影制御部３０１の入力受付部３１１は、撮影コースの選択、すなわち、撮影条件としての、撮影画像における被写体の写りの選択を受け付ける。入力受付部３１１は、受け付けた撮影コースを表すコース情報を、設定部３１２に供給する。
【０１３８】
ステップＳ２３において、設定部３１２は、入力受付部３１１からのコース情報に応じて、撮影制御部３１３が、beautyコースの撮影を行うか、または、edgyコースの撮影を行うかを設定し、設定した撮影コースを表す設定情報を、撮影制御部３１３に供給する。なお、撮影コースを表す設定情報は、編集処理部３０２にも供給される。
【０１３９】
以降、撮影制御部３１３は、設定部３１２からの設定情報で表わされる撮影コースの撮影を行う。
【０１４０】
例えば、beautyコースにおいて、撮影制御部３１３は、５回行われる撮影のうち、全ての撮影としてクロマキー撮影を行う。具体的には、beautyコースにおいては、クロマキー用カーテンを下ろした状態で、１枚目と２枚目の撮影画像の撮影がアップ撮影によって行われ、３枚目、４枚目、５枚目の撮影画像の撮影が斜め撮影によって行われる。利用者の背景をクロマキー用カーテンとすることにより、beautyコースで撮影された撮影画像に対しては、後述する編集処理において、クロマキー処理によって、利用者の背景に背景画像を合成することが可能になる。
【０１４１】
また、beautyコースにおいて、照明制御部３１４は、上ストロボ１１１の発光を強く、正面ストロボ１０２および足元ストロボ１１２の発光を弱くするよう、各ストロボの発光を制御する。
【０１４２】
一方、edgyコースにおいて、撮影制御部３１３は、５回行われる撮影のうち、全ての撮影として通常撮影を行う。具体的には、edgyコースにおいては、クロマキー用カーテンがない状態（クロマキー用カーテンが上げられた状態）で、１枚目の撮影画像の撮影がアップ撮影によって行われ、２枚目、３枚目の撮影画像の撮影が斜め撮影によって行われる。また、４枚目、５枚目の撮影画像の撮影が全身撮影によって行われる。クロマキー用カーテンを上げた状態とすることにより、edgyコースで撮影された撮影画像においては、利用者の背景は、背面カーテン１２３となる。なお、edgyコースにおいては、撮影制御部３１３は、カメラ１０１のカメラパラメータを調整することで、撮影画像における加工感を低減させるようにする。
【０１４３】
また、edgyコースにおいて、照明制御部３１４は、正面ストロボ１０２の発光を強く、上ストロボ１１１および足元ストロボ１１２の発光を弱くするよう、各ストロボの発光を制御する。
【０１４４】
図２０は、アップ撮影の例を示す図である。
【０１４５】
図２０Ａに示す画像３６１はカメラ１０１により撮影された静止画である。縦長の画像である画像３６１には、２人の利用者の頭の上から腰付近までの範囲が写っている。画像３６１の内側に示す長方形の枠Ｆ１で囲む範囲が、アップ撮影時にトリミングにより切り出される範囲である。枠Ｆ１で示す切り出し範囲は、長手方向が画像３６１の長手方向と平行となり、短手方向が画像３６１の短手方向と平行になるように設定される。
【０１４６】
図２０Ｂに示す画像３６２は、トリミングによって画像３６１から切り出された画像である。このように、アップ撮影においては、まっすぐ立っている利用者の顔および上半身がそのまままっすぐ写る画像が撮影される。
【０１４７】
図２１は、斜め撮影の例を示す図である。
【０１４８】
図２１Ａに示す画像３７１はカメラ１０１により撮影された静止画である。画像３７１には、図２０Ａの画像３６１と同様に、２人の利用者の頭の上から腰付近までの範囲が写っている。画像３７１の内側に示す長方形の枠Ｆ２で囲む範囲が、斜め撮影時にトリミングにより切り出される範囲である。枠Ｆ２で示す切り出し範囲は、まっすぐな状態の枠を、その中心位置を固定にして時計周りの方向に所定の角度だけ傾けるようにして設定される。
【０１４９】
図２１Ｂに示す画像３７２は、トリミングによって画像３７１から切り出された画像である。このように、斜め撮影においては、まっすぐ立っている利用者の顔および上半身が左に傾いて写る画像が撮影される。
【０１５０】
なお、斜め撮影においては、アップ撮影と同様に、利用者の顔および上半身が撮影されるので、斜め撮影を、アップ撮影の１つとみなすこともできる。
【０１５１】
図２２は、全身撮影の例を示す図である。
【０１５２】
図２２に示す画像３８１はカメラ１０１により撮影された静止画である。縦長の画像である画像３８１には、２人の利用者の頭の上から足元付近までの範囲が写っている。画像３８１には、撮影空間Ａ１の床面や、背面パネル５１も利用者の背景として写っている。全身撮影時、カメラ１０１を若干斜め下に向けて撮影が行われる。
【０１５３】
このように、全身撮影においては、まっすぐ立っている利用者の全身が写る画像が撮影される。
【０１５４】
なお、ライブビューに用いられる動画像を構成する各フレームに対してもトリミングが適宜施される。例えば、アップ撮影時と斜め撮影時、図２０を参照して説明したトリミングと同じトリミングが施される。斜め撮影時であっても、ライブビュー表示される動画像については、まっすぐ立っている利用者の上半身がそのまままっすぐ写る動画像となる。斜め撮影時に図２１を参照して説明したトリミングと同じトリミングが動画像を構成する各フレームに対して施され、利用者が斜めに傾いて写る動画がライブビューに用いられるようにしてもよい。
【０１５５】
図１９のフローチャートに戻り、ステップＳ２２において撮影コースが選択されると、撮影制御部３１３により動画の撮影が開始され、動画を構成する各フレームに対してトリミングが施される。トリミングにより切り出された画像からなる動画はタッチパネルモニタ９２のライブビュー表示に用いられる。利用者は、自分たちの写り方をタッチパネルモニタ９２の表示を見て確認することになる。また、撮影コースとしてbeautyコースが選択された場合、撮影制御部３１３の制御の下、背景制御部２２２により背景カーテンが下ろされる。
【０１５６】
beautyコースが選択され、ライブビューの表示が開始されてから所定の時間が経過した場合、ステップＳ２４において、撮影制御部３１３は１枚目の静止画の撮影をアップ撮影によって行う。すなわち、撮影制御部３１３により撮影された静止画を対象として、図２０を参照して説明したようにしてトリミングが行われ、利用者の上半身がまっすぐ写っている静止画が得られる。
【０１５７】
ステップＳ２５において、撮影制御部３１３は、１枚目の撮影から所定の時間が経過したとき、２枚目の静止画の撮影をアップ撮影によって行う。
【０１５８】
ステップＳ２６において、撮影処理部３０１は、斜め撮影について紹介する画面をタッチパネルモニタ９２に表示するなどして斜め撮影のガイダンスを行う。上述したように、beautyコースにおいては、例えば３枚目、４枚目、５枚目の静止画の撮影が斜め撮影によって行われる。
【０１５９】
ステップＳ２７において、撮影制御部３１３は３枚目の静止画の撮影を斜め撮影によって行う。すなわち、撮影制御部３１３により撮影された静止画を対象として、図２１を参照して説明したようにしてトリミングが行われ、利用者の上半身が斜めに傾いて写る静止画が得られる。
【０１６０】
ステップＳ２８において、撮影制御部３１３は、３枚目の撮影から所定の時間が経過したとき、４枚目の静止画の撮影を斜め撮影によって行う。
【０１６１】
ステップＳ２９において、撮影制御部３１３は、４枚目の撮影から所定の時間が経過したとき、５枚目の静止画の撮影を斜め撮影によって行う。
【０１６２】
このように、beautyコースにおいては、アップ撮影によって撮影された２枚の静止画と、斜め撮影によって撮影された３枚の静止画の５枚の静止画が得られる。
【０１６３】
特に、beautyコースにおいては、利用者の顔が大きく写るアップ撮影および斜め撮影が行われるので、利用者の顔をより強調した画像を得ることができる。また、beautyコースにおいては、利用者の前方上側からの光が強くなるので、得られる画像において、顔の輪郭がはっきり写るようになり、立体感が出るようになる。
【０１６４】
一方、edgyコースが選択され、ライブビューの表示が開始されてから所定の時間が経過した場合、ステップＳ３０において、撮影制御部３１３は１枚目の静止画の撮影をアップ撮影によって行う。
【０１６５】
ステップＳ３１において、撮影処理部３０１は、斜め撮影について紹介する画面をタッチパネルモニタ９２に表示するなどして斜め撮影のガイダンスを行う。edgyコースにおいては、例えば２枚目、３枚目の静止画の撮影が斜め撮影によって行われる。
【０１６６】
ステップＳ３２において、撮影制御部３１３は、２枚目の静止画の撮影を斜め撮影によって行う。
【０１６７】
ステップＳ３３において、撮影制御部３１３は、２枚目の撮影から所定の時間が経過したとき、３枚目の静止画の撮影を斜め撮影によって行う。
【０１６８】
ステップＳ３４において、撮影制御部３１３は、全身撮影について紹介する画面をタッチパネルモニタ９２に表示するなどして全身撮影のガイダンスを行う。edgyコースにおいては、例えば４枚目、５枚目の静止画の撮影が全身撮影によって行われる。
【０１６９】
ステップＳ３５において、撮影制御部３１３は４枚目の静止画の撮影を全身撮影によって行う。すなわち、図２２を参照して説明したような利用者の全身が写る静止画が得られる。
【０１７０】
ステップＳ３６において、撮影制御部３１３は、４枚目の撮影から所定の時間が経過したとき、５枚目の静止画の撮影を全身撮影によって行う。
【０１７１】
このように、edgyコースにおいては、アップ撮影によって撮影された１枚の静止画、斜め撮影によって撮影された２枚の静止画、および全身撮影によって撮影された２枚の静止画の５枚の静止画が得られる。
【０１７２】
特に、edgyコースにおいては、アップ撮影および斜め撮影の他に、全身撮影が行われるので、利用者のコーディネートを意識した画像を得ることができる。また、edgyコースにおいては、利用者の正面からの光が強くなるので、得られる画像においては、利用者の服装がより際立つようになる。
【０１７３】
ステップＳ３７において、撮影処理部３０１は、写り調整画面をタッチパネルモニタ９２に表示させる。写り調整画面は、静止画に写る利用者の目の大きさの調整と、静止画の明るさの調整に用いられる画面である。写り調整画面において、静止画の色や利用者の顔の大きさなどの他の調整を行うことができるようにしてもよい。
【０１７４】
ステップＳ３８において、画像処理部３１５は、利用者による操作に応じて静止画の画像処理を行い、利用者の目の大きさと静止画の明るさを調整する。すなわち、画像処理部３１５は、それぞれの静止画から利用者の目を検出し、検出した目の大きさを、利用者によって選択された大きさになるように調整する。また、画像処理部３１５は、それぞれの静止画の明るさを、利用者によって選択された明るさになるように調整する。
【０１７５】
なお、beautyコースにおいては、特に顔を強調した画像が得られるので、写り選択画面における目の大きさや明るさの選択肢を増やすようにしてもよい。
【０１７６】
さらに、beautyコースが選択されたか、またはedgyコースが選択されたか（すなわち、クロマキー処理が実行されるか否か）に応じて、画像処理部３１５により行われる処理内容を変更させるようにしてもよい。
【０１７７】
ステップＳ３９において、画像処理部３１５は、利用者の目の大きさと静止画の明るさを調整して得られた調整後の静止画それぞれに対して、撮影コースに応じた画像処理を施す。
【０１７８】
具体的には、beautyコースが選択された場合、画像処理部３１５は、５枚の静止画それぞれに対して、被写体の肌の質感がなめらか、かつきめ細やかになるように、彩度、明度、シャープネス、およびコントラストを調整する。さらに、この場合、画像処理部３１５は、クロマキー処理が施された後にクロマキー合成を自然なものとする画像処理を行うようにしてもよい。
【０１７９】
また、edgyコースが選択された場合、画像処理部３１５は、５枚の静止画それぞれに対して、白い肌色を保ちつつ、被写体の肌の質感がリアルに近いラフな感じになるように、彩度、明度、シャープネス、およびコントラストを調整する。さらに、この場合、画像処理部３１５は、よりコントラストを強くする画像処理を行うようにしてもよい。
【０１８０】
ステップＳ４０において、撮影処理部３０１は、撮影コースに応じた画像処理が施された５枚の静止画を、撮影画像として記憶部２０２に記憶させる。その後、図１８のステップＳ２に戻り、それ以降の処理が行われる。
【０１８１】
以上の処理によれば、利用者は、写真シール作成ゲームの一連の流れの中で、クロマキー撮影を行うか否かを選択することができるので、クロマキー処理の弊害を解消しつつ、クロマキー処理を行わない場合にも、利用者に対して、利用者が所望する仕上がりの画像を提供することが可能となる。
【０１８２】
つまり、クロマキー撮影を行った場合、利用者は、後述する編集処理において、予め用意された背景画像から所望の色やデザインの背景画像を選択することができるので、同じ被写体が撮影されている複数枚の撮影画像それぞれに、異なる背景画像を合成することができ、結果として、様々な仕上がりの画像を、利用者に提供することができる。
【０１８３】
また、クロマキー撮影を行わなかった場合、クロマキー処理によって、利用者の衣服の一部が変色したりすることなく、ファッション雑誌等のモデルが撮影されたような、被写体と背景との境界に自然な立体感があり、かつ加工感のない画像を、利用者に提供することができる。
【０１８４】
そして、利用者は、クロマキー撮影を行うか否かを選択することができるので、いずれの場合であっても、利用者が所望する仕上がりの画像を提供することが可能となる。
【０１８５】
以上においては、選択された撮影コースに応じて、アップ撮影が行われたり、全身撮影が行われたりと、画角の異なる撮影が行われる。すなわち、撮影コースが選択されることによって、入力受付部３１１は、撮影条件として、撮影画像の画角の選択を受け付け、設定部３１２は、選択された画角に応じて、クロマキー撮影が行われるか否かを設定するとみなすことができる。また、edgyコースにおいては、アップ撮影と全身撮影とが行われるので、１つの撮影コースにおいて行われる撮影の画角に応じて、利用者の選択を受け付けることなく、クロマキー撮影が行われるか否かが設定されるようにしてもよい。
【０１８６】
なお、上述した撮影処理において、照明制御部３１４は、アップ撮影（斜め撮影も含む）が行われるかまたは全身撮影が行われるかに応じて、撮影空間Ａ１内の各ストロボの発光を制御するようにしてもよい。
【０１８７】
具体的には、アップ撮影が行われる場合、背面右ストロボ１２１および背面左ストロボ１２２の発光させないようにする一方、全身撮影が行われる場合、正面ストロボ１０２、上ストロボ１１１、および足元ストロボ１１２の発光を強め、かつ、背面右ストロボ１２１および背面左ストロボ１２２の発光させるようにしてもよい。
【０１８８】
全身撮影が行われる場合、利用者は、カメラ１０１からより離れた立ち位置で撮影を行う可能性があり、また撮影の範囲（画角）が広くなるため、上述のように各ストロボが発光することで、撮影に必要な発光量を確保するようにする。また、この場合、撮影空間Ａ１の上方ほど明るく、下方ほど暗くなるので、ファッション雑誌等のモデルの撮影現場のような、顔が明るく写り、足元が暗く写る自然な状態を再現することができるようになる。
【０１８９】
なお、この場合、図５を参照して説明したように、背面カーテン１２３および図示せぬ側面カーテンは、その色が床面に近づくほど明度が低くなるように配色されたように見えるが、足元が暗くなり過ぎてしまう恐れがある。
【０１９０】
そこで、撮影空間Ａ１における床面の色を、白色系（例えば白色）の色とする。これにより、撮影空間Ａ１の上方ほど明るく、下方ほど暗くなった場合でも、足元が暗くなり過ぎることを防ぐことができる。
【０１９１】
なお、以上においては、背面右ストロボ１２１および背面左ストロボ１２２の発光により、背面カーテン１２３および側面カーテンの色が床面に近づくほど明度が低くなるように配色されたように（グラデーションが施されたように）見えるようにしたが、背面カーテン１２３および側面カーテンの色自体を、そのような配色としてもよい。
【０１９２】
また、床面は、背面カーテン１２３および側面カーテンの色にあわせて、その色を変更するようにしてもよいし、その色を背面カーテン１２３の色の補色としてもよい。
【０１９３】
［編集処理の例］
次に、図２３のフローチャートを参照して、図１８のステップＳ４において行われる編集処理について説明する。
【０１９４】
ステップＳ５１において、編集処理部３０２は、おなまえ入力画面をタブレット内蔵モニタ１３１に表示させる。おなまえ入力画面には、利用者それぞれの名前を入力させるためのキーやボタン等が表示される。
【０１９５】
ステップＳ５２において、編集処理部３０２は、プロフ（プロフィール）入力画面をタブレット内蔵モニタ１３１に表示させる。プロフ入力画面には、利用者に対する質問を表す文章（例えば、「今日は誰と一緒？」や「今日はどこに行ったの？」など）や、その質問に対する回答となる選択肢が表示される。
【０１９６】
ステップＳ５３において、編集処理部３０２は、設定部３１２から供給された、撮影コースを表す設定情報に基づいて、beautyコースによって撮影が行われたか否かを判定する。
【０１９７】
ステップＳ５３において、beautyコースによって撮影が行われたと判定された場合、ステップＳ５４において、編集処理部３０２は、背景選択画面をタブレット内蔵モニタ１３１に表示させる。背景選択画面には、背景の色の選択を促すメッセージとともに、各種の色や柄の画像が背景画像として複数表示される。
【０１９８】
背景画像は、撮影画像に写る利用者の背景として用いられる画像である。上述したように、beautyコースによる撮影はクロマキー用カーテンを下ろした状態で行われる。beautyコースによる撮影処理が行われた後の編集処理においては、クロマキー処理によって利用者の背景に背景画像が合成された撮影画像が編集対象の画像として用いられる。
【０１９９】
なお、ここでは、撮影画像の枚数分、すなわち５枚の背景画像が利用者によって選択される。また、背景画像として、所定のテーマに沿った背景画像が５枚セットになったセット画像が表示され、選択されるようにしてもよい。
【０２００】
ステップＳ５５において、編集処理部３０２は、記憶部２０２から５枚の撮影画像を読み出し、それぞれの撮影画像と背景画像とを合成する。すなわち、編集処理部３０２は、撮影画像において、利用者の背景領域を抽出し、抽出した領域に背景画像を合成するクロマキー処理を、各撮影画像を対象として行う。
【０２０１】
一方、ステップＳ５３において、beautyコースによって撮影が行われなかった、すなわち、edgyコースによって撮影が行われたと判定された場合、ステップＳ５４，Ｓ５５の処理はスキップされる。
【０２０２】
ステップＳ５６において、編集処理部３０２は、編集画面をタブレット内蔵モニタ１３１に表示させる。編集画面には、背景画像が合成された撮影画像、または記憶部２０２から読み出された撮影画像が表示される。
【０２０３】
図２４は、編集画面の例を示す図である。
【０２０４】
編集画面は、基本的に、主な構成が左右対象に設けられることによって構成される。左半分の領域である領域４０２Ｌは、タブレット内蔵モニタ１３１に向かって左側にいる利用者により用いられる領域であり、右半分の領域である領域４０２Ｒは、タブレット内蔵モニタ１３１に向かって右側にいる利用者により用いられる領域である。中央上方の領域４０１には編集処理の残り時間が表示される。なお、図２４の各領域を囲む破線は画面に実際に表示されるものではない。
【０２０５】
領域４０２Ｌの中央上方のサムネイル画像表示領域４１１Ｌは、撮影画像を表すサムネイル画像の表示領域である。利用者（タブレット内蔵モニタ１３１に向かって左側にいる利用者）は、サムネイル画像表示領域４１１Ｌに表示されているサムネイル画像を選択することによって、編集対象とする撮影画像を選択することができる。
【０２０６】
図２４の例においては、５枚の撮影画像を表すサムネイル画像Ｐ１乃至Ｐ５が撮影順に並べてサムネイル画像表示領域４１１Ｌに表示され、左端のサムネイル画像Ｐ１が選択されることによって、１枚目の撮影画像が編集対象とされている。
【０２０７】
サムネイル画像表示領域４１１Ｌに表示されている５枚のサムネイル画像のうち、サムネイル画像Ｐ１乃至Ｐ３は利用者の上半身が写っているサムネイル画像であり、サムネイル画像Ｐ４，Ｐ５は利用者の全身が写っているサムネイル画像である。すなわち、図２４の編集画面は、edgyコースによって撮影が行われた後の編集処理時に表示される画面である。
【０２０８】
サムネイル画像表示領域４１１Ｌに表示されているサムネイル画像Ｐ１乃至Ｐ５は、編集対象画像生成部３３１により生成された編集対象の撮影画像を縮小した画像である。
【０２０９】
領域４０２Ｌの略中央に形成された比較的大きな編集領域４１２Ｌは、編集対象として選択された撮影画像の表示領域である。図２４の例においては、サムネイル画像表示領域４１１Ｌからサムネイル画像Ｐ１が選択されることによって、１枚目の撮影画像が表示されている。利用者は、タッチペン１３２Ａを用いて編集ツールを選択し、編集領域４１２Ｌに表示された撮影画像の編集を行うことができる。
【０２１０】
編集領域４１２Ｌの左側のペンツール選択領域４１３Ｌは、手書き入力に用いられるペンツールの選択ボタンの表示領域である。ペンツール選択領域４１３Ｌには、線の種類、太さ、色の選択に用いられるボタンが複数表示される。ペンツール選択領域４１３Ｌの選択ボタンは、編集画面が表示されている間、常時表示される。
【０２１１】
編集領域４１２Ｌの下の編集用パレット表示領域４１４Ｌは、スタンプ画像などの各種の編集ツールの選択に用いられる編集用パレットの表示領域である。編集用パレットに表示される編集ツールは「PROF-select」、「ROUGH-design」、「HIGH-design」のカテゴリ毎に分かれており、それぞれのカテゴリ名が付されたタブを選択することによって、編集用パレット表示領域４１４Ｌに表示させる編集ツールを切り替えることができるようになされている。
【０２１２】
図２４の例においては、「PROF-select」のカテゴリが選択され、「PROF-select」のカテゴリに属する編集ツールの選択ボタンが表示されている。「PROF-select」のカテゴリに属する編集ツールが、編集処理の開始時に入力されたプロフィールに応じて切り替わるようにしてもよい。
【０２１３】
編集領域４１２Ｌの右側の修正ツール選択領域４１５Ｌは、入力した編集を消すときに用いられるツールである消しゴムツールの選択に用いられるボタン、１つ前または１つ後の作業に戻るときに操作されるボタンなどが縦に並べて表示される領域である。
【０２１４】
修正ツール選択領域４１５Ｌの右側の一括編集ボタン４１６Ｌは、予め決められた編集を一括して入力するときに操作されるボタンである。一括編集ボタン４１６Ｌの下には、領域４０２Ｒに跨る形で、編集時のBGMの設定を行うときに操作されるボタンの表示領域であるBGM設定領域４１７が形成される。
【０２１５】
編集用パレット表示領域４１４Ｌの右側には、メイクアップツールを利用するときに操作されるメイクアップツールボタン４１８Ｌと、サーバに送信する画像の編集を行うときに操作されるケータイおまけボタン４１９Ｌが表示される。縦長長方形のケータイおまけボタン４１９Ｌには、「MOBILE  ケータイおまけ」の文字と携帯電話機（スマートフォン）の外観の画像が表示されるとともに、スマートフォンの外観の画像に重ねて「PUSH」の文字が表示される。ケータイおまけボタン４１９Ｌに外観の画像が表示されているスマートフォンのディスプレイには、利用者が写る撮影画像が嵌め込まれている。
【０２１６】
ケータイおまけボタン４１９Ｌが操作されると、ケータイおまけ（携帯端末用の待受画像や、メールやブログ等のテキストデータに添付される装飾画像であるオリジナルデコメ）の作成を行うことができる。
【０２１７】
図２５は、ケータイおまけボタン４１９Ｌが操作されたときにタブレット内蔵モニタ１３１に表示される、ケータイおまけ作成コース選択画面である。
【０２１８】
図２５のケータイおまけ作成コース選択画面には、ケータイおまけの作成コースとして、撮影画像の色調などを加工した後に編集を施し、ケータイおまけを作成する加工アプリ風コースを選択するための選択ボタン４５１と、通常の編集を施し、ケータイおまけを作成する通常コースを選択するための選択ボタン４５２とが表示されている。
【０２１９】
また、図２５のケータイおまけ作成コース選択画面には、ケータイおまけの作成をやめるときに操作されるやめるボタン４５３も表示されている。やめるボタン４５３が操作されると、タブレット内蔵モニタ１３１の表示は、図２４に示される編集画面に戻る。
【０２２０】
なお、撮影処理において、撮影コースとしてedgyコースが選択されている場合、編集対象となる画像は、クロマキー処理によって背景画像が合成されない画像となるので、色調などを加工した後に編集を施す加工アプリ風コースのみを選択可能とするように、選択ボタン４５２を表示させないようにする。
【０２２１】
図２４の説明に戻り、修正ツール選択領域４１５Ｌの上には、編集処理を終了するときに操作される終了ボタン４２０Ｌが表示される。
【０２２２】
タブレット内蔵モニタ１３１に向かって右側にいる利用者が使う領域４０２Ｒには、以上のような領域４０２Ｌの構成と同じ構成が位置を対称にして配置される。図２４の例においては、サムネイル画像表示領域４１１Ｒからサムネイル画像Ｐ４を選択することによって、全身が写る４枚目の撮影画像が編集対象とされている。
【０２２３】
なお、ペンツール選択領域４１３Ｌ，Ｒにおいて選択されるペンツールや、編集用パレット表示領域４１４Ｌ，Ｒにおいて選択されるスタンプ画像などの各種の編集ツールは、プロフ入力画面において利用者により選択された回答に応じて変更されるようにしてもよい。
【０２２４】
これにより、利用者は、その日一緒にいる相手や、その日に行ってきた場所などにあった編集ツールを用いて編集作業を行うことができ、最終的に得られる画像を思い出深いものとすることができる。
【０２２５】
さて、図２３のフローチャートに戻り、ステップＳ５７において、編集処理部３０２は、利用者による編集入力に従って撮影画像の編集を行う。
【０２２６】
ステップＳ５８において、編集処理部３０２は、編集終了か否かを判定し、編集終了ではないと判定した場合、ステップＳ５７に戻り、撮影画像の編集を続ける。撮影画像の編集は、終了ボタン４２０Ｌ，４２０Ｒが操作されるまで、または制限時間が経過するまで続けられる。
【０２２７】
一方、ステップＳ５８において、編集終了であると判定された場合、ステップＳ５９において、編集処理部３０２は、分割数選択画面をタブレット内蔵モニタ１３１に表示させる。分割数選択画面には、最終的に出力されるシール紙における、編集済み画像の配置を決定するためのシールレイアウトが表示される。
【０２２８】
分割数選択画面から所定のシールレイアウトが選択されると、ステップＳ６０において、編集処理部３０２は、利用者により選択されたシールレイアウトのシール紙イメージを、記憶部２０２に記憶させる。その後、図１８のステップＳ４に戻り、それ以降の処理が行われる。
【０２２９】
上述した編集処理において、撮影処理においてbeautyコースが選択されたか、または、edgyコースが選択されたかによる違いは、クロマキー処理によって背景画像が合成されるか否かのみである。そこで、例えば、プロフ入力画面において利用者により選択された回答に応じて利用者に提示される編集ツールを、撮影処理において選択された撮影コースに応じて変更させるようにしてもよい。
【０２３０】
例えば、beautyコースが選択された場合には、ペンツールの線の種類、太さ、色を増やすようにしたり、edgyコースが選択された場合には、スタンプ画像を全てシンプルなものとする。
【０２３１】
また、撮影処理において選択された撮影コース（beautyコースおよびedgyコース）は、利用者をかわいくきれいに写したり、よりおしゃれに写したりと、それぞれ目的が異なるので、その目的にあわせて、編集ツールの色味等が変更されるようにしてもよい。
【０２３２】
これにより、撮影コースにあった編集作業を行うことができ、最終的に得られる画像を、その画像の写りにマッチした、より仕上がりのよいものとすることができる。
【０２３３】
なお、ペンツールの中には、利用者による描画の方向によって、被写体とペン画像とが重なる部分で、ペン画像の方が上に表示されたり、被写体の方が上に表示される機能がある。撮影処理においてedgyコースが選択された場合には、背景画像が合成されないので、この機能は実現できないが、beautyコースが選択された場合には、背景画像が合成されるので、この機能は実現可能とされる。
【０２３４】
また、撮影処理においてedgyコースが選択された場合、編集処理においては、背景画像の選択および合成の処理（ステップＳ５４，Ｓ５５）はスキップされてしまうため、edgyコースを選択した利用者と、beautyコースを選択した利用者とで、１ゲーム全体のプレイ時間に不公平が生じてしまう。
【０２３５】
そこで、本実施の形態の写真シール作成ゲームにおいては、撮影処理においてedgyコースが選択された場合、編集作業の時間を、beautyコースが選択された場合より長く設定する。また、撮影処理においてedgyコースが選択された場合、通常５回行われる撮影を、beautyコースが選択された場合より多い回数、例えば６回行われるようにしてもよい。
【０２３６】
以上においては、撮影処理においてbeautyコースが選択された場合、背景画像が選択され、その背景画像が撮影画像に合成されるクロマキ−処理が行われるのは、編集処理の中であるものとしたが、撮影処理の中で行われるようにしてもよい。以下においては、beautyコースが選択された場合、撮影処理の中で背景画像が選択され、その背景画像が撮影画像に合成されるクロマキ−処理が行われる例について説明する。
【０２３７】
［撮影処理部の他の構成例］
図２６の撮影処理部３０１は、入力受付部３１１、設定部３１２、撮影制御部３１３、照明制御部３１４、画像処理部３１５、および背景選択部５１１から構成される。
【０２３８】
なお、図２６の撮影処理部３０１において、図１７の撮影処理部３０１と異なるのは、背景選択部５１１を新たに設けた点である。
【０２３９】
背景選択部５１１は、撮影制御部３１３がクロマキー撮影を行う場合、クロマキー処理において撮影画像の背景に合成される背景画像の選択を受け付け、選択された背景画像を、利用者の背景領域が抽出された撮影画像に合成する。
【０２４０】
［撮影処理について］
次に、図２７のフローチャートを参照して、図２６の撮影処理部３０１によって実行される撮影処理について説明する。
【０２４１】
なお、図２７のフローチャートにおけるステップＳ８１乃至Ｓ８９，Ｓ９２乃至Ｓ１０２の処理は、図１９のフローチャートにおけるステップＳ２１乃至Ｓ４０の処理と同様であるので、その説明は省略する。
【０２４２】
すなわち、ステップＳ８４乃至Ｓ８９においてクロマキー撮影が行われた後、ステップＳ９０において、撮影処理部３０１は、背景選択画面をタッチパネルモニタ９２に表示させる。
【０２４３】
利用者が、タッチパネルモニタ９２の表面に指で触れるなどして、撮影回数分すなわち５枚の背景画像を選択すると、ステップＳ９１において、背景選択部５１１は、背景画像の選択を受け付け、それぞれの撮影画像と合成する。
【０２４４】
以上のように、撮影処理の中で、背景画像が選択され、その背景画像が撮影画像に合成されるクロマキ−処理が行われるようになる。
【０２４５】
なお、図２７の撮影処理においては、ステップＳ８４乃至Ｓ８９においてクロマキー撮影が行われた後、背景画像が選択されるようにしたが、ステップＳ８４乃至Ｓ８９においてクロマキー撮影が行われる前、すなわち、beautyコースが選択された直後に、背景画像が選択されるようにしてもよい。
【０２４６】
ところで、以上においては、選択された撮影コースに応じて、例えば５回全ての撮影として、クロマキー撮影が行われるか否かが設定されるものとしたが、例えば５回の撮影のうちの少なくとも１回の撮影として、クロマキー撮影が行われるか否かが設定されるようにしてもよい。
【０２４７】
例えば、以上においては、撮影処理においてedgyコースが選択された場合には、クロマキー撮影は１回も行われないものとしたが、５回の撮影のうちの１，２，３枚目の撮影画像の撮影（アップ撮影および斜め撮影）をクロマキー撮影として行い、４，５枚目の撮影画像の撮影（全身撮影）を通常撮影として行うようにする。
【０２４８】
この場合、全身撮影においてのみ、クロマキー撮影が行われないので、クロマキー処理によって、利用者の衣服の一部が変色したりすることを防ぐことができる。
【０２４９】
また、クロマキー処理による利用者の衣服の一部の変色を防ぐために、複数のキー（色）のクロマキー用カーテンを用意するようにしてもよい。この場合、撮影制御部３１３が、カメラ１０１により取り込まれた動画像から、利用者の衣服の色を検出し、検出されなかった色のクロマキー用カーテンを用いて、クロマキー撮影を行うようにする。
【０２５０】
なお、撮影制御部３１３が、カメラ１０１により取り込まれた動画像から、利用者が着用している着用物（衣服、帽子や靴、かばん、かつら等）の色を検出し、検出された色に応じて、撮影制御部３１３が、少なくとも１回の撮影としてクロマキー撮影を行うか否かが設定されるようにしてもよい。
【０２５１】
また、以上においては、クロマキー撮影が行われる場合、クロマキー処理において、撮影画像には背景画像のみが合成されるものとしたが、撮影画像の前景となる前景画像もあわせて合成されるようにしてもよいし、前景画像のみが合成されるようにしてもよい。
【０２５２】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２５３】
この記録媒体は、例えば、図１５に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０２５４】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２５５】
以上において、印刷媒体は、シール紙や写真紙に限られるものではなく、例えば、所定のサイズの紙やフィルム、ポスター用の紙、テレホンカードなどのカード、あるいは、Ｔシャツなどの布地などに印刷するようにしてもよい。
【０２５６】
また、本発明の実施の形態は、上述した実施の形態に限定されるものではなく、本発明の要旨を逸脱しない範囲において種々の変更が可能である。
【符号の説明】
【０２５７】
１  写真シール作成装置
１１  撮影ユニット
１２  編集ユニット
２５  背景カーテンユニット
１０１  カメラ
２０１  制御部
２０８  撮影部
２０９  編集部
２２２  背景制御部
２２３  照明装置
３０１  撮影処理部
３０２  編集処理部
３１１  入力受付部
３１２  設定部
３１３  撮影制御部
３１４  照明制御部
５１１  背景選択部
【図１】
2015001735.tif 000003
【図２】
2015001735.tif 000004
【図３】
2015001735.tif 000005
【図４】
2015001735.tif 000006
【図５】
2015001735.tif 000007
【図６】
2015001735.tif 000008
【図７】
2015001735.tif 000009
【図８】
2015001735.tif 000010
【図９】
2015001735.tif 000011
【図１０】
2015001735.tif 000012
【図１１】
2015001735.tif 000013
【図１２】
2015001735.tif 000014
【図１３】
2015001735.tif 000015
【図１４】
2015001735.tif 000016
【図１５】
2015001735.tif 000017
【図１６】
2015001735.tif 000018
【図１７】
2015001735.tif 000019
【図１８】
2015001735.tif 000020
【図１９】
2015001735.tif 000021
【図２０】
2015001735.tif 000022
【図２１】
2015001735.tif 000023
【図２２】
2015001735.tif 000024
【図２３】
2015001735.tif 000025
【図２４】
2015001735.tif 000026
【図２５】
2015001735.tif 000027
【図２６】
2015001735.tif 000028
【図２７】
2015001735.tif 000029